(57)【要約】【課題】簡単な構造で、非表示時に光透過窓部を介した表示パネルの色と、光透過窓部以外のフロント部の色とが略同一となる表示装置を提供すること、美観の低下やデザイン性の制限等を防止可能な表示装置を提供すること。【解決手段】第２表示部（自発光パネル部）１２６と、第２表示部１２６の光取り出し面側に形成された光透過窓部２１１、および光透過窓部２１１の周辺部に形成された窓枠部２１２を備えるフロント部２１とを有する表示装置であって、フロント部２１の光透過窓部２１１は、第２表示部１２６の非発光状態での色に対して、実質的に補色関係にある色に設定されている。【選択図】図３
2007094165.tif 000002
【特許請求の範囲】
【請求項１】
自発光パネル部と、
前記自発光パネル部の光取り出し面側に形成された光透過窓部、および前記光透過窓部の周辺部に形成された窓枠部を備えるフロント部と、
を有する表示装置であって、
前記フロント部の前記光透過窓部は、前記自発光パネル部の非発光状態での色に対して、実質的に補色関係にある色に設定されていることを特徴とする表示装置。
【請求項２】
前記自発光パネル部は、自発光層を含む発光機能層を有し、
前記フロント部の前記光透過窓部は、前記発光機能層の非発光状態での色に対して、実質的に補色関係にある色に設定されていることを特徴とする請求項１に記載の表示装置。
【請求項３】
前記フロント部の前記光透過窓部は、規定値以上の高反射率に設定されていることを特徴とする請求項１または請求項２に記載の表示装置。
【請求項４】
前記フロント部の前記光透過窓部は、前記自発光パネルの非発光状態での色に対して、実質的に補色関係にある色を含む乳白色に設定されていることを特徴とする請求項３に記載の表示装置。
【請求項５】
前記窓枠部および前記光透過窓部は、外光に対して略同じ反射率に設定され、前記窓枠部と前記光透過窓部の境界が略区別できないように規定されていることを特徴とする請求項１から請求項４のいずれか一に記載の表示装置。
【請求項６】
前記窓枠部および前記光透過窓部は、外光に対して規定値以上の反射率の真珠色に設定されていることを特徴とする請求項５に記載の表示装置。
【請求項７】
前記フロント部は、
光透過性を備える基材と、
前記基材の一方の面側に形成され、前記光透過窓部および前記窓枠部とを備える第１層と、
前記基材の他方の面側に形成され、外光に対して規定値以上の反射率に設定されている第２層と
を有することを特徴とする請求項１に記載の表示装置。
【請求項８】
前記第１層は、前記基材に対して、印刷法または予め規定されたシール材を貼り付けることにより形成されることを特徴とする請求項７に記載の表示装置。
【発明の詳細な説明】
【技術分野】
【０００１】
本発明は、表示装置に関するものである。
【背景技術】
【０００２】
電気信号に応じて光のパターンを生成する表示装置として、例えば自発光素子や光調整素子を備える表示装置が知られている。自発光素子として、例えば有機発光ダイオード（ＯＬＥＤ）素子、プラズマ素子、フィールド発光素子等が知られている。光調整素子として、光の透過や反射等を制御可能な液晶素子やエレクトロクロミック素子等が知られている。
例えばＯＬＥＤ素子は、基板上に直接又は他の層を介して、第１の導電層が形成され、第１の導電層の上に、正孔注入層、正孔輸送層、自発光層、および電子輸送層等を含む発光機能層が積層され、発光機能層の上に第２の導電層が形成された構造を有している。この第１の導電層と第２の導電層との間に規定電圧を印加することによって、第１および第２の導電層のうち一方の導電層に形成される陰極側から電子が注入され、他方の導電層に形成される陽極側から正孔が注入されて、それらが自発光層等で再結合して励起状態に遷移し、その後、励起状態から低エネルギー状態に遷移する際に発光が得られる。
【０００３】
一般的な表示装置では、自発光パネルの光取り出し面側に、装飾用や保護用のフロントパネルが設けられる。このフロントパネルには、自発光パネルの光取り出し面側に形成された光透過窓部、および光透過窓部の周辺部に窓枠部が形成されている。観察者は光透過窓部を介して表示パネルからの光を観察する。上記構成の表示装置では、非表示時（非発光状態の場合）に、外光が光透過窓部を介して自発光パネルに入射し、例えば自発光パネルの発光機能層により光の吸収や拡散、反射などが生じるという問題を解決するために円偏光板等の偏光フィルタを自発光パネルの表面に設けている（例えば、特許文献１参照）。その結果、観察者は、非表示時（非発光状態の場合）に偏光フィルタの色を観察することになる。この非表示時の自発光パネルの色は、例えば光透過窓部以外のフロントパネルの色と区別することができ、表示装置の美観の低下や、デザイン性を制限してしまうという問題が生じる。
また、偏光フィルタには、偏光フィルタの厚みがあり、自発光パネルの発光時の光を吸収するので、その光の強度が損失してしまう。また自発光パネルの色と光透過窓部以外のフロントパネルの色とを同じにするためにフロントパネルに透過性の低い材質を用いたり、印刷を施したりすると表示に必要な光の強度を損失することになる。
このため、非表示時に光透過窓部を介した表示パネルの色と、光透過窓部以外のフロントパネルの色とが略同一となる表示装置や、美観の低下やデザイン性の制限等を防止可能な表示装置、表示に必要な光の強度を保つことの可能な表示装置が望まれている。
【０００４】
ところで、この自発光素子や光調整素子を備える表示装置では、表示時に明るく、コントラストが大きいことが重要である。コントラストは、表示装置の最も重要なパラメータの一つである。コントラストは、例えば表示装置によって放射される有用な光（例えば信号）と、それに対する表示装置からの不要な光との比率である。この不要な光は、例えば周囲からの反射光の割合が大きい。例えば反射光として、鏡面反射光か散乱反射光の２種類が知られている。
【０００５】
特許文献２には、例えば鏡面反射を利用した表示装置として、第１の情報を表示する第１の表示パネルと、その第１の表示パネルの額縁となり、その一部に観察者の視認方向についての光透過性を有する透過部を含む額縁部材と、第２の情報を表示し、観察者からみて透過部の後方に設けられ、第２の情報を表示しない場合に額縁部材のうち透過部を除く領域と略同一の反射色を有する反射体となる第２の表示パネルと、を具備することを特徴とする表示装置が開示されている。この反射体による反射色が、非表示時における第２の表示パネルからの反射色と略等しくなるように形成されているので、第１の表示パネルを介して反射体および第２の表示パネルの各々を視認する観察者は、反射体及び第２の表示パネルをあたかも同一体であるかのように視認することができる。
【０００６】
また、特許文献３には、例えば散乱反射を利用した表示装置として、発光層と、観察者からみて発光層の背面側に設けられ、観察者側からの入射光を散乱反射する散乱反射層とを具備することを特徴とする表示装置が開示されている。この表示装置は、散乱反射層により、観察者側からの入射光を散乱反射することで、非表示時に表示装置に対面する人や物等の映りこみを防止する。
【０００７】
【特許文献１】特許２７６１４５３号公報
【特許文献２】特開２００４−１０９４５０号公報
【特許文献３】特開２００４−１１１１９５号公報
【発明の開示】
【発明が解決しようとする課題】
【０００８】
しかし、特許文献２に開示された表示装置では、反射体を形成し、非表示時にはその反射体により外光を鏡面反射するので、デザイン性が制限される。また、特許文献３に開示された表示装置では、外光を散乱反射するために別途、表示装置内に散乱反射層を形成するという製造工程を行う必要がある。またこの表示装置では散乱反射のためにコントラストが低下するといる問題点がある。
【０００９】
本発明は、このような問題に対処することを課題の一例とするものである。すなわち、簡単な構造で、非表示時に光透過窓部を介した表示パネルの色と、光透過窓部以外のフロント部の色とが略同一となる表示装置を提供すること、美観の低下やデザイン性の制限等を防止可能な表示装置を提供すること、表示に必要な光の強度を保つ表示装置を提供すること、等が本発明の目的である。
【課題を解決するための手段】
【００１０】
このような目的を達成するために、本発明は、以下の各独立請求項に係る構成を少なくとも具備するものである。
請求項１に係る表示装置は、自発光パネル部と、前記自発光パネル部の光取り出し面側に形成された光透過窓部、および前記光透過窓部の周辺部に形成された窓枠部を備えるフロント部と、を有する表示装置であって、前記フロント部の前記光透過窓部は、前記自発光パネル部の非発光状態での色に対して、実質的に補色関係にある色に設定されていることを特徴とする。
【発明を実施するための最良の形態】
【００１１】
本発明の一実施形態に係る表示装置は、自発光パネル部とフロント部とを有する。フロント部は、自発光パネル部の光取り出し面側に形成された光透過窓部、および光透過窓部の周辺部に形成された窓枠部を備える。このフロント部の光透過窓部は、自発光パネル部の非発光状態での色に対して、実質的に補色関係にある色に設定されている。また、窓枠部および光透過窓部は、外光に対して略同じ反射率に設定され、窓枠部と光透過窓部の境界が略区別できないように規定されている。
【００１２】
ここで補色とは、加法混色または減法混色によって無彩色にすることができる２つの色をいう。詳細には、例えば可視光領域の光の波長が約３８０ｎｍから７８０ｎｍへと次第に長くなっていくにつれ、視覚できる色の色相は、紫−青紫−青−青緑−緑−黄緑−黄色−橙色(だいだいいろ＝オレンジ色)−赤へと境目なく徐々に変化していく。この波長の順番に色相を文字盤のように円形状に並べた色相環の対向する位置の色同士を補色と定義する。
【００１３】
この色相環は、例えばマンセル色相環、オストワルト色相環など、色彩体系それぞれにて定義される。例えば図１に示すように、ＰＣＣＳ（Practical Color Coordinate System：日本色研配色体系）では、心理４原色を基本した２４色相を色相環に用いている。心理４原色とは、最も赤らしい赤・黄・緑・青とされる色で、赤と緑、黄と青は心理補色関係にあり、色相環を４分する縦横軸を形成している。この色相環は、詳細には図１に示すように、１：紫みの赤（ｐＲ）、２：赤（Ｒ）、３：黄みの赤（ｙＲ）、４：赤みの橙（ｒＯ）、５：橙（Ｏ）、６：黄みの橙（ｙＯ）、７：赤みの黄（ｒＹ）、８：黄（Ｙ）、９：緑みの黄（ｇＹ）、１０：黄緑（ＹＧ）、１１：黄みの緑（ｙＧ）、１２：緑（Ｇ）、１３：青みの緑（ｂＧ）、１４：青緑（ＢＧ）、１５：青緑（ＢＧ）、１６：緑みの青（ｇＢ）、１７：青（Ｂ）、１８：青（Ｂ）、１９：紫みの青（ｐＢ）、２０：青紫（Ｖ）、２１：青みの紫（ｂＰ）、２２：紫（Ｐ）、２３：赤みの紫（ｙＰ）、２４：ＲＰ（赤紫）が順に円環状に並べて形成されている。
【００１４】
上記構成の表示装置では、非発光状態の場合に、外光がフロント部の光透過窓部を介して自発光パネル部に入射する。自発光パネル部では、入射した光に対して、自発光パネルの材料や構造，電子状態等に応じて固有の周波数について吸収や、散乱、反射などを生じ、自発光パネル部から光透過窓部に固有の色の反射光が入射する。光透過窓部は、自発光パネル部からの光に対して、実質的に補色関係にある色に設定されており、特定の色の光（特定の周波数の光）に対して透過、吸収、または反射等を行う光フィルタの機能を有し、非発光時の自発光パネル部からの光の強度を低減する。そして、窓枠部および光透過窓部は、外光に対して略同じ反射率に設定され、窓枠部と光透過窓部の境界が略区別できないように規定されているので、非表示時に光透過窓部を介した表示パネルの色と、光透過窓部以外のフロント部の色とを略同一とすることができる。また、美観の低下やデザイン性の制限等を防止可能な表示装置を提供することができる。
以下、本発明の一実施形態を図面を参照しながら説明する。
【００１５】
図２は、本発明の一実施形態に係る表示装置を説明するための図である。図２（ａ）は本発明に係る表示装置を採用した携帯型電話装置の斜視図であり、図２（ｂ）は図２（ａ）に示した携帯電話装置の折り畳み時の背面部を説明するための図である。本実施形態に係る表示装置を採用した携帯型電話装置１は、例えば図２（ａ），（ｂ）に示すように、折り畳み型通信装置であり、第１筐体部１１、および第２筐体部１２を有する。第１筐体部１１と第２筐体部１２は、ヒンジ１３により開閉自在に連結されている。
【００１６】
第１筐体部１１は、例えば図２（ａ），（ｂ）に示すように、操作部１１１、およびマイクロフォン１１２等を有する。本実施形態に係る第１筐体部１１には、例えば正面側や側面側等に操作部１１１が形成され、正面側の端部付近にマイクロフォン１１２が形成されている。第２筐体部１２は、例えば図２（ａ），（ｂ）に示すように、アンテナ部１２１、第１表示部１２２、スピーカ１２３、撮像部１２４、発光部（フラッシュ）１２５、第２表示部１２６等を有する。本実施形態に係る第２筐体部１２には、例えば上端部にアンテナ部１２１が形成され、正面側中央部に第１表示部１２２が形成され、正面側上端部にスピーカ１２３が形成され、裏面側端部付近に撮像部１２４および発光部１２５が形成され、裏面側略中央部付近に第２表示部１２６が形成されている。上記電気的な各構成要素、詳細には操作部１１１、マイクロフォン１１２、第１表示部１２２、スピーカ１２３、撮像部１２４、発光部１２５、第２表示部１２６等は、例えば第１筐体部１１の筐体部中に備えられた不図示の制御回路に接続されており、制御回路により統括的に制御される。また、アンテナ部１２１は、不図示の通信回路を介して制御回路に接続されている。第２表示部１２６は、本発明に係る自発光パネル部の一実施形態に対応する。
【００１７】
図３は、図２に示した表示装置の第２筐体部１２の分解立体図である。本実施形態に係る第２筐体部１２は、例えば図３に示すように、筐体部２０上に撮像部１２４、発光部１２５、および第２表示部１２６等が配設され、その上部側に、フロント部２１が配設されている。フロント部２１は、光透過窓部２１１、および窓枠部２１２を有する。フロント部２１は本発明に係るフロント部の一実施形態に相当し、光透過窓部２１１は本発明に係る光透過窓部の一実施形態に相当し、窓枠部２１２は本発明に係る窓枠部２１２の一実施形態に相当する。
【００１８】
光透過窓部２１１は、第２表示部１２６に対応する位置に形成され、第２表示部１２６の光取り出し面側に形成されている。光透過窓部２１１は、第２表示部１２６からの光を透過し、また外光を透過する。また、光透過窓部２１１は、第２表示部１２６の非発光状態での色に対して、実質的に補色関係にある色に設定されている。このため光透過窓部２１１は、特定の色の光（特定の周波数の光）に対して透過、吸収、または反射等を行う光フィルタの機能を有し、第２表示部１２６からの光の強度を低減する。窓枠部２１２は、光透過窓部２１１の周辺部に形成されている。
【００１９】
また、光透過窓部２１１は、規定値以上の高反射率に設定されている。好ましくはフロント部２１の光透過窓部２１１は、第２表示部１２６の非発光状態での色に対して、実質的に補色関係にある色を含む乳白色に設定されている。上記構成の光透過窓部２１１では、非発光状態の第２表示部１２６からの光の強度が低減し、外光が高反射率で反射される。また、例えば光透過窓部２１１を乳白色に設定することで、外光に対して乳白色の反射光を観測者側ｈ１に出射することができる。窓枠部２１２は、光透過窓部２１１の周辺部に形成されている。ここで乳白色とは、赤、緑、青の各色の成分が略同一に含む高反射率の色である。例えば色を表すのに、赤（Ｒ）：緑（Ｇ）：青（Ｂ）の各色の光強度０〜２５５の比率にて表現すると、乳白色は略２５０：２５０：２５０程度の各色の比率として表される。
【００２０】
また、光透過窓部２１１および窓枠部２１２は、外光に対して略同じ反射率に設定され、光透過窓部２１１および窓枠部２１２の境界が略区別できないように規定されている。好ましくは光透過窓部２１１および窓枠部２１２は、例えば外光に対して規定値以上の反射率の真珠色に設定されている。
上記構成のフロント部２１では、外光に対して光透過窓部２１１および窓枠部２１２が、特定の色の光（特定の周波数の光）に対して略同じ反射率に設定されているので、光透過窓部２１１および窓枠部２１２の境界が略区別できない。また、光透過窓部２１１および窓枠部２１２を、例えば外光に対して規定値以上の反射率の真珠色に設定することで、外光が、光透過窓部２１１および窓枠部２１２により反射して、真珠色の反射光を観察者側ｈ１に出射することができる。ここで真珠色とは、赤、緑、青の各色の成分が略同一に含む高反射率の色である。例えば色を表すのに、赤（Ｒ）：緑（Ｇ）：青（Ｂ）の各色の光強度０〜２５５の比率にて表現すると、真珠色は略２５５：２５５：２４１程度の各色の比率として表される。
以下、フロント部２１の一実施形態をより詳細に説明する。
【００２１】
本実施形態に係るフロント部２１は、例えば図３に示すように、基材２２、基材２２の上面部側に形成された表面層２３、および基材２２の反対面側に形成された背面層２４の３層構造に形成されている。基材２２は本発明に係る基材の一実施形態に相当し、表面層２３は本発明に係る基材の第２層の一実施形態に相当し、背面層２４は本発明に係る第２層の一実施形態に相当する。本実施形態では３層構造のフロント部２１を説明するが、この形態に限られるものではない。例えば本発明に係る機能を有していれば、１層構造であっても２層構造であってもよいし、３層以上の積層構造であってもよい。
【００２２】
基材２２は、例えばプラスチック等の樹脂材料やガラス材料等の規定材料により形成され、光透過性を備える。表面層２３は、基材２２の一方の面側、詳細には図３に示すように、観察者側ｈ１に対向する面側に形成され、外光に対して規定値以上の反射率に設定されている。また、表面層２３は、規定の製造方法、例えばスクリーン（シルク）印刷法等の印刷法等や、予め規定されたシール材等を貼り付ける等により形成される。また表面層２３には、表面ＵＶ（Ultraviolet）コートを行ってもよい。
背面層２４は、基材２２の一方の面側、詳細には筐体部２０に対向する面側に形成され、光透過窓部２４１および窓枠部２４２とを備える。光透過窓部２４１は上述した光透過窓部２１１に対応し、窓枠部２４２は上述した窓枠部２１２に対応する。また、背面層２４は、規定の製造方法、例えばスクリーン（シルク）印刷法等の印刷法等や、予め規定されたシール材等を貼り付ける等により形成される。本実施形態に係る背面層２４には、第２表示部１２６の表示エリア（アクティブエリア）１２６１が、観察者側ｈ１（上面側）から見える位置に、第２表示部１２６の光取り出し面側１２６２に光透過窓部２４１が形成され、その光透過窓部２４１の周辺部に窓枠部２４２が形成されている。窓枠部２４２には、所定のデザイン、例えば単一色の表示面の他に、ストライプ表示、迷彩色、木目調等の各種デザインを施してもよい。
【００２３】
また、窓枠部２４２だけでなく、フロント部２１に施す意匠は、単一色の表示面の他に、ストライプ表示、迷彩色、木目調等の各種デザインを施してもよい。上述した実施形態では、平面型表示装置を説明したが、この形態に限られるものではなく、球面状等の任意形状の表示装置に採用した場合に、表示装置の形状に応じたデザインをフロント部２１に施してもよい。
【００２４】
図４は、図３に示した第２表示部１２６を説明するための断面図である。図５は、図３，４に示した第２表示部１２６、およびフロント部２１を説明するための断面図である。本実施形態に係る第２表示部１２６は、ボトムエミッション型表示装置であり、例えば図３〜５に示すように、基板６１、第１電極６２、成膜層（発光機能層）６３、第２電極６４、封止部６５、フレキシブル基板（配線部材）６６、異方性導電部材（ＡＣＦ：Anisotropic Conductive Film）６７、および枠部６８を有する。例えば図４，５に示すように、第２表示部１２６において、成膜層６３が第１電極６２および第２電極６４の一対の電極により狭持された構造を有する。以下、第２表示部１２６の各構成要素について詳細に説明する。
【００２５】
基板６１は、例えば光透過性を有するガラスや樹脂等の規定材料により形成されている。第１電極６２は、基板６１上に形成されており、例えばＩＴＯ（Indium tin oxide）等の光透明性および導電性を有する材料からなる。成膜層（発光機能層）６３は、例えば図５に示すように、正孔注入層６３１、正孔輸送層６３２、自発光層６３３、および電子輸送層６３４等を有する。
【００２６】
正孔注入層６３１は、正孔輸送層６３２と第１電極６２の間に形成され、正孔の注入効率性が大きい材料により形成されている。本実施形態に係る正孔注入層６３１は、銅フタロシアニン（ＣｕＰｃ）により形成されている。非発光時にフロント部２１を介さずに第２表示部１２６について観察される色は、例えば成膜層６３の正孔注入層６３１の銅フタロシアニンの色である。この銅フタロシアニンの色は、例えば青緑色であり、外光の補色関係の色（例えばピンク色）を吸収するために、観察者側からは青緑色を確認することができる。この際、光透過窓部２１１は、成膜層６３の非発光状態での色に対して、実質的に補色関係にある色、例えばピンク色に設定される。正孔注入層６３１として、他の材料を用いた場合には、非発光時に観測される成膜層６３の色は、その材料に応じた色が観察される。本実施形態では、正孔注入層６３１以外の層が透明である例を示すが、本発明はこれに限定せず、自発光層６３３または／および電子注入層６３４に非発光時に観察者側から何らかの色を観察できるものであっても良い。ここでいう色とは、外光の一部を吸収または／および反射することにより、波長３８０から７８０ｎｍの可視領域で観察できるものをいう。
【００２７】
正孔輸送層６３２は、第１電極６２と電子輸送層６３４の間に形成され、正孔の輸送効率が大きい材料により形成されている。自発光層６３３は、第１電極６２から注入された正孔と、第２電極６４から注入された電子とが再結合し、この再結合により自発光層６３３の分子の電子状態が励起状態に遷移し、その後、それより低いエネルギー順位に遷移することで発光を行う。電子輸送層６３４は、自発光層６３３と第２電極６４との間に形成され、第２電極６４からの電子の輸送効率が大きい材料により形成されている。第２電極６４は、導電材料からなる。また、第２電極６４は、例えば封止部６５から反射体として機能するように鏡面が形成されていてもよい。
【００２８】
封止部６５は、成膜層６３や第２電極６４等を覆い、それらを封止空間６０内に配設するように形成されている。配線部材６６は、第１電極６２や第２電極６４と、不図示の駆動回路や制御回路と接続する。また、配線部材６６は、導電材料、本実施形態では異方性導電部材６７を介して第１電極６２や第２電極６４と接続され、例えばフレキシブル基板等の導電部材により構成される。枠部６８は、基板６１、第１電極６２、成膜層６３、第２電極６４、および封止部６５からなる表示部パネルを、筐体部２０に取り付けるための部材であり、表示モジュールを覆うように形成されている。第２表示部１２６は、枠部６８を介して筐体部２０に取り付けられている。
【００２９】
上記構成のフロント部２１および第２表示部１２６について、第２表示部１２６が非発光状態の場合（非表示時）の動作を図面を参照しながら説明する。本実施形態では図５に示すように、フロント部２１の表面層２３は、規定された透過率且つ反射率の配色、例えばスカイグレー色に規定される。また、表面層２３は表面ＵＶコートが施されている。また、背面層２４の光透過窓部２４１は、非発光時の成膜層６３の色である青緑色に対して、実質的に補色関係にあるピンク色を含む、乳白色に設定されている。また、背面層２４の全面を印刷法などにより規定値以上の反射率のパール（真珠色）に設定することで、光透過窓部２４１と窓枠部２４２の境界部を視認により略区別できないように規定している。
【００３０】
［窓枠部２１２］
図５に示すように、外光Ｌ０は、観察者側ｈ１からフロント部２１の窓枠部２１２に入射すると、表面層２３にて一部が吸収および／または反射され、観察者側ｈ１に反射光Ｌ１として出射される。また外光Ｌ０は、表面層２３および基材２２を透過し、背面層２４の窓枠部２４２にて一部が吸収および／または反射され、基材２２および表面層２３を介して、観察者側ｈ１に反射光Ｌ２として出射される。
つまり、フロント部２１の窓枠部２１２では、反射光Ｌ１，Ｌ２が観察される。
【００３１】
［光透過窓部２１１］
図５に示すように、外光Ｌ０は、観察者側ｈ１からフロント部２１の光透過窓部２１１に入射すると、表面層２３にて一部が吸収および／または反射され、観察者側ｈ１に反射光Ｌ１として出射される。また、外光Ｌ０は、表面層２３および基材２２を透過し、背面層２４の光透過窓部２４１にて一部が吸収および／または反射され、基材２２および表面層２３を介して、観察者側ｈ１に反射光Ｌ３として出射される。また外光Ｌ０は、表面層２３，基材２２，背面層２４の光透過窓部２４１，基板６１，第１電極６２を透過し、成膜層６３詳細には正孔注入層６３１にて一部が吸収および／または反射され、第１電極６２，基板６１，光透過窓部２４１，基材２２、表面層２３を介して、観察者側ｈ１に反射光Ｌ４として出射される。また、外光Ｌ０は、表面層２３，基材２２，背面層２４の光透過窓部２４１，基板６１，第１電極６２，成膜層６３を透過し、第２電極６４にて一部が吸収および／または反射され、成膜層６３，第１電極６２，基板６１，光透過窓部２４１，基材２２，表面層２３を介して、観察者側ｈ１に反射光Ｌ５として出射される。
つまり、フロント部２１の光透過窓部２１１では、反射光Ｌ１，Ｌ３，Ｌ４，Ｌ５が観察される。
この際、光透過窓部２４１が、成膜層６３の非発光状態での色に対して、実質的に補色関係にある色に設定され、特定の色の光（特定の周波数の光）に対して透過、吸収、または反射等を行う光フィルタの機能を有するので、観察者側ｈ１が確認する成膜層６３に固有の色の光の強度を低減することができる。詳細には、成膜層６３が外光の一部の波長を吸収することにより確認することのできる成膜層６３の固有の色が、光透過窓部２４１で成膜層６３で吸収されない外光の一部の波長を吸収することにより確認しずらくなるのである。したがって、従来フロント部２１に透過性の低い印刷等を施すことによりデザインを施していたものと異なり、成膜層６３から出射した光の強度を損失することを防いでいる。
【００３２】
上述したように非発光時に窓枠部２１２では反射光Ｌ１，Ｌ２が観察され、光透過窓部２１１では反射光Ｌ３と相対的に強度が小さい反射光Ｌ４，Ｌ５が観測されるので、簡単な構造で、非表示時に光透過窓部２１１を介した第２表示部１２６の色と、光透過窓部２１１以外のフロント部２１の色とが略同一となる。また、美観の低下やデザイン性の制限等を防止可能な表示装置を提供することができる。
また、反射光Ｌ４，Ｌ５をより低減するように光透過窓部２４１を設定することで、非発光時に光透過窓部２４１からは反射光Ｌ１，Ｌ３のみとなり、光透過窓部２１１の色と、光透過窓部２１１以外のフロント部２１の色とが略同一となる。
【００３３】
また、好ましくは、特定の色の光（特定の周波数の光）について、非発光時の窓枠部２１２の反射光Ｌ１，Ｌ２と、光透過窓部２１１の反射光Ｌ１，Ｌ３の強度を略等しく設定することで、観察者側ｈ１では、あたかも光透過窓部２１１と窓枠部２１２とが同じ色となるように視認することができる。つまり、第２筐体部１２に配設されている第２表示部１２６を視認することができないために、美観の低下やデザイン性の制限を低減することができる。
【００３４】
［発光状態（表示駆動時）］
次に第２表示部１２６が発光状態の場合（表示駆動時）の動作を説明する。第１電極６２および第２電極６４に、規定電圧を印加すると、第２電極６４側から電子が注入され、第１電極６２側から正孔が注入されて、それらが自発光層６３３で再結合して励起状態に遷移し、その後、励起状態から低エネルギー状態に遷移する際に発光し、一部の光は第２電極６４に反射し、成膜層６３，第１電極６２，基板６１，窓枠部２４２，基材２２，表面層２３を介して観察者側ｈ１に、光Ｌ６として出射する。
【００３５】
図６は、本発明の一実施形態に係る携帯型電話装置の動作を説明するための図である。図６（ａ）は非発光状態（非表示駆動時）の携帯型電話装置１を説明するための図である。図６（ｂ）は発光状態（表示駆動時）の携帯型電話装置１を説明するための図である。非発光状態（非表示駆動時）に、図６（ａ）に示すように、携帯型電話装置１の第２筐体部１２では、あたかも光透過窓部２１１と窓枠部２１２とが同じ色となるように視認することができ、第２筐体部１２に配設されている第２表示部１２６を視認しずらくなる。
発光状態（表示駆動時）に、第２筐体部１２に配設されている第２表示部１２６では、不図示の制御回路の制御により、所定の文字、記号、画像などに応じた発光を行い光透過窓部２１１を介して、例えば図５，６（ｂ）に示すように発光に応じた光Ｌ６を観察者側ｈ１で観察することができる。つまり、表示時に明るく、コントラストが大きい。つまりあたかも文字や記号、画像等だけが浮き出るように視認することができる。
【００３６】
また、一般的な表示装置では、非発光時には、例えば発光機能層の色、詳細には正孔注入層の色である青緑色を視認することができたが、本発明に係る表示装置では、非表示時に光透過窓部２１１と、周囲の窓枠部２１２とを同じ配色となるように、また光透過窓部２１１と窓枠部２１２を区別することができないように形成することで、デザイン性を向上することができる。
また、一般的な表示装置では、反射体を形成して、非表示時にはその反射体により外光を鏡面反射させたり、外光を散乱反射するために別途、表示装置内に散乱反射層を形成するなど、煩雑な製造工程を行うことが必要であり、また散乱反射層を形成した場合にはコントラストが低下してしまうが、本発明に係る表示装置では、簡単な構造で、コントラストの低下を防止することができる。また、非表示時に光透過窓部を介した表示パネルの色と、光透過窓部以外のフロント部２１の色とを略同一とすることができる。
また、上述したように本実施形態では、スクリーン（シルク）印刷等の印刷法や予め規定されたシール材を基材２２に貼り付ける工程により、簡単に本発明に係る光透過窓部２４１や窓枠部２４２を背面層２４に形成することができる。
【００３７】
なお、本発明は上述した実施形態に限られるものではない。
上述した実施形態では、本発明に係る表示装置を採用した携帯電話装置のサブディスプレイを説明したが、この形態に限られるものではない。例えば携帯電話装置のメインディスプレイ、車載メータ、電化製品、パーソナルコンピュータのディスプレイ、ノート型パソコンの筐体部に設けられた情報表示部、テレビジョン放送受信装置、照明、アミューズメント装置など各種表示装置、光電変換素子を利用した光通信装置等に、本発明に係る表示装置を適用することができる。
また、一般的な有機ＥＬ表示パネルは、外光による反射防止のために、光の取り出し面側に円偏光板等の偏光フィルタを設けているが、本発明に係る表示装置では、偏光フィルタを設ける必要がないので、薄型の表示装置を提供することができる。
【００３８】
また、図７，８に示すように、フロント部２１の背面層２４において、窓枠部２４２に所定のデザインを施すことで、デザイン性を向上させることができる。また、窓枠部２４２以外にも、基材２２や表面層２３に所定のデザインを施すことで、デザイン性を更に向上させることができる。また、デザインは木目調、迷彩色、波模様など任意のデザインを施してもよい。加えて、本発明では従来技術の単に第２表示部１２６が判別しずらい程度までフロント部２１の透過率を低下させたものと異なり、デザイン性の向上とともに、表示品質を低下を防ぐことができる。
【００３９】
また、上述した形態では光透過窓部２１１は、第２表示部１２６の非発光状態での色に対して、実質的に補色関係にある色を含む乳白色に設定したが、このように乳白色に設定することで、例えば表面層２３や基材２２に設定可能な色の種類を多くすることができ、また容易に所望のデザインを施しやすい。
更に、背面層２４全面を規定値以上の反射率の真珠色でスクリーン印刷することにより光透過窓部２１１と窓枠部２１２との区別がしずらくなる。
また、上述した実施形態では、乳白色や真珠色を採用したがこの形態に限られるものではない。
【００４０】
また、上述した第２表示部１２６は、基板６１、第１電極６２、正孔注入層６３１、正孔輸送層６３２、自発光層６３３、電子輸送層６３４、第２電極６４、封止部６５により構成されたボトムエミッション型表示装置を有していたが、この形態に限られるものではない。また、第２表示部１２６は、トップエミッション型表示部であってもよい。詳細には、基板、反射電極（反射膜，透明電極）、成膜層、透明電極、透明封止膜を順次積層したトップエミッション型の表示部であってもよい。この際には封止膜側がフロント部２１に対向するように配設する。
【００４１】
以下、第２表示部１２６の細部について、更に具体的に説明する。
ａ．電極；
第１電極１３１，第２電極１３２は、一方が陰極側、他方が陽極側に設定される。陽極側は陰極側より仕事関数の高い材料で構成され、クロム（Ｃｒ）、モリブデン（Ｍｏ）、ニッケル（Ｎｉ）、白金（Ｐｔ）等の金属膜やＩＴＯ、ＩＺＯ等の透明導電膜が用いられる。逆に陰極側は陽極側より仕事関数の低い材料で構成され、アルカリ金属（Ｌｉ，Ｎａ，Ｋ，Ｒｂ，Ｃｓ）、アルカリ土類金属（Ｂｅ，Ｍｇ，Ｃａ，Ｓｒ，Ｂａ）、希土類金属等、仕事関数の低い金属、その化合物、又はそれらを含む合金、ドープされたポリアニリンやドープされたポリフェニレンビニレン等の非晶質半導体、Ｃｒ2Ｏ3、ＮｉＯ、Ｍｎ2Ｏ5等の酸化物を使用できる。また、第１電極１３１，第２電極１３２ともに透明な材料により構成した場合には、光の放出側と反対の電極側に反射膜を設けた構成にすることもできる。
【００４２】
引出配線部（図示の引出配線部１１２１及び第１電極１３１の引出配線）には、第２表示部１２６を駆動する駆動回路部品やフレキシブル配線基板が接続されるが、可能な限り低抵抗に形成することが好ましく、前述したように、Ａｇ，Ｃｒ，Ａｌ等の低抵抗金属もしくはその合金を含む電極層を積層するか、或いはこれらの低抵抗金属を単独で電極層を形成することができる。
【００４３】
ｂ．成膜層；
成膜層１３３は、少なくとも発光層を含む単層又は多層の成膜層からなるが、層構成はどのように形成されていても良い。一般には、図９に示すように、陽極側から陰極側に向けて、正孔輸送層１３３Ａ、発光層１３３Ｂ、電子輸送層１３３Ｃを積層させたものを用いることができるが、発光層１３３Ｂ、正孔輸送層１３３Ａ、電子輸送層１３３Ｃはそれぞれ１層だけでなく複数層積層して設けても良く、正孔輸送層１３３Ａ、電子輸送層１３３Ｃについてはどちらかの層を省略しても、両方の層を省略しても構わない。また、正孔注入層、電子注入層等の有機材料層を用途に応じて挿入することも可能である。正孔輸送層１３３Ａ、発光層１３３Ｂ、電子輸送層１３３Ｃは従来の使用されている材料（高分子材料、低分子材料を問わない）を適宜選択して採用できる。
また、発光層１３３Ｂを形成する発光材料においては、１重項励起状態から基底状態に戻る際の発光（蛍光）と３重項励起状態から基底状態に戻る際の発光（りん光）のどちらを採用しても良い。
【００４４】
ｃ．封止部材；
第２表示部１２６において、有機ＥＬ素子１３０を気密に封止するための封止部材１１１１としては、ガラス製，プラスチック製、金属製等による板状部材を用いることができる。ガラス製の封止基板にプレス成形，エッチング，ブラスト処理等の加工によって封止用凹部（一段掘り込み、二段掘り込みを問わない）を形成したものを用いることもできるし、或いは平板ガラスを使用してガラス（プラスチックでも良い）製のスペーサにより支持基板１１０との間に封止領域Ｓを形成することもできる。また、上記のような封止部材により封止領域Ｓを形成する気密封止法を利用しても良く、封止領域Ｓ内に例えば樹脂やシリコーンオイル等の充填剤を封入したもの、例えば樹脂フィルムと金属箔で封止した固体封止法、バリア膜等で有機ＥＬ素子１３０を封止する膜封止法でも良い。
【００４５】
ｄ．接着剤；
接着層１１１２を形成する接着剤は、熱硬化型，化学硬化型（２液混合），光（紫外線）硬化型等を使用することができ、材料としてアクリル樹脂，エポキシ樹脂，ポリエステル，ポリオレフィン等を用いることができる。特には、加熱処理を要さず即硬化性の高い紫外線硬化型のエポキシ樹脂製接着剤の使用が好ましい。
【００４６】
ｅ．乾燥手段；
乾燥手段１４０は、ゼオライト，シリカゲル，カーボン，カーボンナノチューブ等の物理的乾燥剤、アルカリ金属酸化物，金属ハロゲン化物，過酸化塩素等の化学的乾燥剤、有機金属錯体をトルエン，キシレン，脂肪族有機溶剤等の石油系溶媒に溶解した乾燥剤、乾燥剤粒子を透明性を有するポリエチレン，ポリイソプレン，ポリビニルシンナエート等のバインダに分散させた乾燥剤により形成することができる。
【００４７】
ｆ．有機ＥＬパネルの各種方式等；
本発明の実施例である第２表示部１２６としては、本発明の要旨を逸脱しない範囲で各種の設計変更が可能である。例えば、有機ＥＬ素子１３０の発光形態は、前述したように支持基板１１０側から光を取り出すボトムエミッション方式でも、封止部材１１１１側から光を取り出すトップエミッション方式でも構わなく（この場合封止部材１１１１を透明材料にする必要がある）、マルチフォトン構造を採用しても構わない。また、第２表示部１２６は単色表示であっても複数色表示であっても良く、複数色表示を実現するためには、塗り分け方式を含むことは勿論のこと、白色や青色等の単色の発光を有する有機EL素子を単数または複数備える有機ＥＬパネルにカラーフィルタや蛍光材料による色変換層を組み合わせた方式（ＣＦ方式、ＣＣＭ方式）、２色以上の単位表示領域を縦に積層し一つの単位表示領域を形成した方式（ＳＯＬＥＤ(transparent Stacked OLED)方式）、異なる発光色の低分子有機材料を予め異なるフィルム上に成膜してレーザによる熱転写で一つの基板上に転写するレーザ転写方式、等を採用することができる。また、図示の例ではパッシブ駆動方式を示しているが、支持基板１１０としてＴＦＴ基板を採用し、その上に平坦化層を形成した上に第１電極１３１を形成するようにして、アクディブ駆動方式を採用したものであってもよい。
【００４８】
以上説明したように、本発明に係る表示装置は、第２表示部（自発光パネル部）１２６と、第２表示部１２６の光取り出し面側に形成された光透過窓部２１１および光透過窓部２１１の周辺部に形成された窓枠部２１２を備えるフロント部２１とを有する表示装置であって、フロント部２１の光透過窓部２１１は、第２表示部１２６の非発光状態での色に対して、実質的に補色関係にある色に設定されているので、非発光状態の場合に、外光がフロント部２１の光透過窓部２１１を介して第２表示部１２６に入射する。第２表示部１２６では、入射した光に対して、第２表示部１２６の材料や構造，電子状態等に応じて固有の周波数について吸収や、散乱、反射などを生じ、第２表示部１２６から光透過窓部２１１に固有の色の反射光が入射する。
光透過窓部２１１は、第２表示部１２６からの光に対して、実質的に補色関係にある色に設定され、特定の色の光（特定の光の周波数の光）に対して透過、吸収、反射等を行う光フィルタの機能を有し、非発光時の第２表示部１２６からの光の強度を低減する。そして光透過窓部２１１および窓枠部２１２は、外光に対して略同じ反射率に設定され、光透過窓部２１１と窓枠部２１２の境界が略区別できないように規定されているので、非表示時に光透過窓部２１１を介した第２表示部１２６の色と、光透過窓部２１１以外のフロント部２１の色とを略同一にすることができる。また、美観の低下やデザイン性の制限等を防止可能な表示装置を提供することができる。
【図面の簡単な説明】
【００４９】
【図１】本発明に係る補色を説明するための色相環を示す図である。
【図２】本発明の一実施形態に係る表示装置を説明するための図である。（ａ）は本発明に係る表示装置を採用した携帯型電話装置の斜視図であり、（ｂ）は（ａ）に示した携帯電話装置の折り畳み時の背面部を説明するための図である。
【図３】図２に示した表示装置の第２筐体部１２の分解立体図である。
【図４】図３に示した第２表示部１２６を説明するための断面図である。
【図５】図３，４に示した第２表示部１２６、およびフロント部２１を説明するための断面図である。
【図６】本発明の一実施形態に係る携帯型電話装置の動作を説明するための図である。（ａ）は非発光状態（非表示駆動時）の携帯型電話装置を説明するための図であり、（ｂ）は発光状態（表示駆動時）の携帯型電話装置を説明するための図である。
【図７】本発明の他の実施形態に係る表示装置を説明するための図である。
【図８】図７に示した表示装置の第２筐体部１２の分解立体図である。
【図９】本発明の他の実施形態に係る表示装置を説明するための図である。
【符号の説明】
【００５０】
１  携帯型電話装置（表示装置）
１１  第１筐体部
１２  第２筐体部
１３  ヒンジ
６０  封止空間
６１  基板
６２  第１電極
６３  成膜層（発光機能層）
６４  第２電極
６５  封止部
６６  フレキシブル基板（配線部材）
６７  異方性導電部材（ＡＣＦ）
６８  枠部
１１１  操作部
１１２  マイクロフォン
１２１  アンテナ部
１２２  第１表示部
１２３  スピーカ
１２４  撮像部
１２５  発光部（フラッシュ）
１２６  第２表示部
２１１  光透過窓部
２１２  窓枠部
２４１  光透過窓部
２４２  窓枠部
６３１  正孔注入層
６３２  正孔輸送層
６３３  自発光層
６３４  電子輸送層
【図１】
2007094165.tif 000003
【図２】
2007094165.tif 000004
【図３】
2007094165.tif 000005
【図４】
2007094165.tif 000006
【図５】
2007094165.tif 000007
【図６】
2007094165.tif 000008
【図７】
2007094165.tif 000009
【図８】
2007094165.tif 000010
【図９】
2007094165.tif 000011